(57)【要約】      （修正有）【課題】装置本体を薄型化できる撮像装置を提供する。【解決手段】金属の押出加工により筒状に形成された外装ケース本体５０に対して、レンズユニット６０を両端の開口部５０Ｒ、５０Ｌからスライド挿入して組み付ける。レンズユニット６０は、そのレンズ鏡筒６２の前面が開口して形成されており、外装ケース本体５０に組み付けられることにより、開口部が外装ケース本体５０の内壁面に覆われて遮光される。【選択図】図５
2009180791.tif 000002
【特許請求の範囲】
【請求項１】
撮影光学系が収容されたレンズ鏡筒の基端部に撮像素子が組み付けられたレンズユニットを外装ケース内の所定位置に取り付けて組み立てられる撮像装置であって、前記撮影光学系の光軸の一部又は全部が前記外装ケースの厚さ方向に対して直交するように配置される撮像装置において、
前記レンズユニットは、前記レンズ鏡筒の一部の面を前記外装ケースの厚さ方向の前面及び／又は後面の内壁面に密着させて前記外装ケース内の所定位置に取り付けられ、前記レンズ鏡筒は、前記外装ケースの内壁面に密着させられる面が開口して形成されることを特徴とする撮像装置。
【請求項２】
前記外装ケースの内壁面には、少なくとも前記レンズ鏡筒が取り付けられる面に遮光処理が施されることを特徴とする請求項１に記載の撮像装置。
【請求項３】
前記外装ケースは、
左右又は上下の両端が開口して形成された筒状の外装ケース本体と、
前記外装ケース本体の両端の開口に取り付けられるカバー部材と、
で構成され、
前記レンズユニットは、前記外装ケース本体の開口から、前記レンズ鏡筒の開口した面を前記外装ケース本体の内壁面に密着させながら、前記外装ケース本体内にスライド挿入させて、前記外装ケース本体内の所定位置に取り付けられることを特徴とする請求項１又は２に記載の撮像装置。
【請求項４】
前記外装ケース本体は、金属を押出加工することによって形成され、前記撮像素子は、前記外装ケース本体の内壁面に接触して取り付けられることを特徴とする請求項３に記載の撮像装置。
【請求項５】
前記外装ケース本体の内壁面には、前記レンズユニットの挿入時に該レンズユニットを案内するガイドレールが押出方向に沿って一体的に形成される一方、前記レンズユニットのレンズ鏡筒には、該ガイドレールに嵌合するガイド溝が一体的に形成されることを特徴とする請求項４に記載の撮像装置。
【請求項６】
前記レンズユニットは、前記撮影光学系が屈曲光学系で構成され、前玉レンズが前記外装ケース本体の前面に配置されるとともに、前記撮像素子が前記外装ケース本体の底面に配置されることを特徴とする請求項３、４又は５に記載の撮像装置。
【発明の詳細な説明】
【技術分野】
【０００１】
本発明は撮像装置に係り、特に外装ケース本体が金属の押出加工によって筒状に形成された撮像装置に関する。
【背景技術】
【０００２】
コンパクトタイプのデジタルカメラでは、通常、撮影レンズは、レンズユニットとして、撮像素子と一体となったものが、カメラボディに組み付けられる（特許文献１）。
【０００３】
レンズユニットは、撮影光学系を収容したレンズ鏡筒の基端部に撮像素子を組み付けて構成される。そして、そのレンズ鏡筒は、不要な光が光路内に入り込むのを防止するため、密閉された筒状に形成される。
【０００４】
ところで、コンパクトタイプのデジタルカメラは、その携帯性の高さとデザイン性の高さから、年々薄型化の傾向があり、いかにしてカメラボディを薄型化するかが課題となっている。
【０００５】
一般にカメラボディを薄型化する手法として、撮影光学系に屈曲光学系を採用することが知られている。
【特許文献１】特開２００６−９１３４４号公報
【発明の開示】
【発明が解決しようとする課題】
【０００６】
しかしながら、撮影光学系に屈曲光学系を採用した場合であっても、レンズユニットをカメラボディに収容しなければならない以上、カメラボディは、そのレンズユニットの厚み以下にすることはできないという問題があった。
【０００７】
本発明は、このような事情に鑑みてなされたもので、装置本体を薄型化できる撮像装置を提供することを目的とする。
【課題を解決するための手段】
【０００８】
請求項１に係る発明は、前記目的を達成するために、撮影光学系が収容されたレンズ鏡筒の基端部に撮像素子が組み付けられたレンズユニットを外装ケース内の所定位置に取り付けて組み立てられる撮像装置であって、前記撮影光学系の光軸の一部又は全部が前記外装ケースの厚さ方向に対して直交するように配置される撮像装置において、前記レンズユニットは、前記レンズ鏡筒の一部の面を前記外装ケースの厚さ方向の前面及び／又は後面の内壁面に密着させて前記外装ケース内の所定位置に取り付けられ、前記レンズ鏡筒は、前記外装ケースの内壁面に密着させられる面が開口して形成されることを特徴とする撮像装置を提供する。
【０００９】
請求項１に係る発明によれば、レンズ鏡筒の一部の面を外装ケースの厚さ方向の前面及び／又は後面の内壁面に密着させて、レンズユニットが外装ケース内に取り付けられる。そして、レンズ鏡筒は、その外装ケースの内壁面に密着させられる面が開口して形成される。すなわち、レンズユニットは、そのレンズ鏡筒の開口部を外装ケースの内壁面で塞ぐ構成とされる。これにより、レンズ鏡筒の壁面の厚さ分だけ薄型化を図ることができる。また、これにより、部品点数を削減することもできる。
【００１０】
なお、本明細書において、厚さ方向とは、装置の外形寸法を幅×高さ×奥行きとして捉えた際に最も小さい寸法の方向をいう。したがって、奥行き方向の寸法が最も小さい場合は、奥行き方向が厚さ方向となる。
【００１１】
請求項２に係る発明は、前記目的を達成するために、前記外装ケースの内壁面には、少なくとも前記レンズ鏡筒が取り付けられる面に遮光処理が施されることを特徴とする請求項１に記載の撮像装置を提供する。
【００１２】
請求項２に係る発明によれば、外装ケースの内壁面に遮光処理が施される。これにより、遮光性を向上させることができ、不要な内面反射を効果的に防止することができる。
【００１３】
請求項３に係る発明は、前記目的を達成するために、前記外装ケースは、左右又は上下の両端が開口して形成された筒状の外装ケース本体と、前記外装ケース本体の両端の開口に取り付けられるカバー部材と、で構成され、前記レンズユニットは、前記外装ケース本体の開口から、前記レンズ鏡筒の開口した面を前記外装ケース本体の内壁面に密着させながら、前記外装ケース本体内にスライド挿入させて、前記外装ケース本体内の所定位置に取り付けられることを特徴とする請求項１又は２に記載の撮像装置を提供する。
【００１４】
請求項３に係る発明によれば、外装ケースが、筒状に形成された外装ケース本体と、その両端の開口に取り付けられるカバー部材とで構成される。そして、レンズユニットは、外装ケース本体の両端に形成された開口から外装ケース本体内にスライドさせながら挿入して所定位置に取り付けられる。この際、レンズユニットは、そのレンズ鏡筒の開口した面を外装ケース本体の内壁面に密着させながらスライド挿入される。これにより、簡単にレンズユニットを外装ケースに組み付けることができる。また、外装ケースも外周に継ぎ目のないデザイン（いわゆる、シームレスデザイン）とすることができ、優れた外観にすることができる。
【００１５】
請求項４に係る発明は、前記目的を達成するために、前記外装ケース本体は、金属を押出加工することによって形成され、前記撮像素子は、前記外装ケース本体の内壁面に接触して取り付けられることを特徴とする請求項３に記載の撮像装置を提供する。
【００１６】
請求項４に係る発明によれば、外装ケース本体が金属を押出加工することによって所定形状に形成される。そして、この金属で形成された外装ケース本体に対して撮像素子が接触して取り付けられる。これにより、放熱性を高めることができる。また、より優れた外観にすることができる。
【００１７】
請求項５に係る発明は、前記目的を達成するために、前記外装ケース本体の内壁面には、前記レンズユニットの挿入時に該レンズユニットを案内するガイドレールが押出方向に沿って一体的に形成される一方、前記レンズユニットのレンズ鏡筒には、該ガイドレールに嵌合するガイド溝が一体的に形成されることを特徴とする請求項４に記載の撮像装置を提供する。
【００１８】
請求項５に係る発明によれば、外装ケース本体の内壁面にガイドレールが形成され、このガイドレールをガイドとしながら、レンズユニットが外装ケース本体内にスライド挿入される。これにより、レンズユニットを簡単かつ正確に外装ケース本体内の所定位置に取り付けることができる。また、ガイドレールは、押出加工により外装ケース本体と一体的に形成することができるので、簡単に加工形成することができる。
【００１９】
請求項６に係る発明は、前記目的を達成するために、前記レンズユニットは、前記撮影光学系が屈曲光学系で構成され、前玉レンズが前記外装ケース本体の前面に配置されるとともに、前記撮像素子が前記外装ケース本体の底面に配置されることを特徴とする請求項３、４又は５に記載の撮像装置を提供する。
【００２０】
請求項６に係る発明によれば、撮影光学系が屈曲光学系で構成され、その前玉レンズが外装ケース本体の前面に配置されるとともに、撮像素子が外装ケース本体の底面に配置される。これにより、前後方向に薄い撮像装置を構成することができる。
【発明の効果】
【００２１】
本発明によれば、装置本体を薄型化することができる。
【発明を実施するための最良の形態】
【００２２】
以下、添付図面に従って本発明に係る撮像装置の好ましい実施の形態について説明する。
【００２３】
図１〜図４は、それぞれ本発明が適用されたデジタルカメラの一実施形態の外観構成を示す正面斜視図、背面斜視図、正面図、側面断面図（図３の４−４断面図）である。
【００２４】
同図に示すように、本実施の形態のデジタルカメラ１０は、前後方向の厚みの薄い矩形の箱状に形成されている。したがって、本実施の形態のデジタルカメラ１０では、その前後方向が厚さ方向となる。
【００２５】
このデジタルカメラ１０の前面には、撮影光学系の前玉レンズ（第１レンズ群）１４及びフラッシュ１６が設けられている。また、その上面には、シャッタボタン１８及び電源ボタン２０が設けられており、背面には、ディスプレイ２２、ズームボタン２４、再生ボタン２６、ファンクションボタン２８、十字ボタン３０、ＭＥＮＵ／ＯＫボタン３２、及び、キャンセルボタン３４、表示ボタン３６が設けられている。また、その片側の側面には、開閉自在なバッテリカバー３８が設けられており、その内側に図示しないバッテリ収容部とメモリカードスロットとが設けられている。
【００２６】
デジタルカメラ１０の外装ケース１２は、左右の両端が開口して形成された中空の外装ケース本体５０と、その外装ケース本体５０の左右両端の開口部５０Ｒ、５０Ｌに取り付けられる右サイドカバー５２Ｒと左サイドカバー５２Ｌとで構成されている。
【００２７】
外装ケース本体５０は、金属（たとえば、アルミ合金やマグネシウム合金、チタン合金、ステンレス等）を押出加工することによって矩形の筒状に形成されている。すなわち、その下面と上面が水平に形成されるとともに、前面と後面が垂直に形成され、全体として前後に平たい矩形の筒状に形成されている。
【００２８】
なお、このように、外装ケース本体５０は押出加工によって形成されることから、その左右の両端面に平行な断面の投影形状は、どの位置においても均一に形成される。
【００２９】
右サイドカバー５２Ｒと左サイドカバー５２Ｌは、それぞれ樹脂で板状に形成されており、その外周形状は、外装ケース本体５０の外周形状と同じ形状に形成されている。また、図５に示すように、その内側面には、それぞれ外装ケース本体５０の内周部に嵌合可能な突起部５２ｒ、５２ｌが形成されており、この突起部５２ｒ、５２ｌを外装ケース本体５０の両端の開口部５０Ｒ、５０Ｌの内周部に嵌合させて、外装ケース本体５０の両端の開口部５０Ｒ、５０Ｌに取り付けられる。
【００３０】
本実施の形態のデジタルカメラ１０の撮影光学系は、プリズムを利用した屈曲光学系で構成されており、そのレンズ鏡筒にＣＣＤ等が一体的に組み付けられたレンズユニット６０として構成されて、外装ケース本体内に収容配置されている。そして、その前玉レンズ１４が、外装ケース本体５０の前面に形成されたレンズ窓（レンズ開口部：図５参照）１４Ａから露出して配置されている。なお、このレンズユニット６０の構成については、後に詳述する。
【００３１】
フラッシュ１６は、キセノン管を光源として構成されており、その発光部が外装ケース本体５０に形成されたフラッシュ窓１６Ａに嵌め込まれて配置されている。
【００３２】
シャッタボタン１８は、いわゆる半押しと全押しが可能な二段ストローク式の押下ボタンで構成されており、そのキートップが外装ケース本体５０の上面に形成されたシャッタボタン開口部１８Ａ（図５参照）から突出して配置されている。デジタルカメラ１０は、このシャッタボタン１８が半押しされることにより、ＡＥ、ＡＦ等の撮影準備を行い、全押しされることにより、画像の撮影、記録を行う。
【００３３】
電源ボタン２０は、押下ボタンで構成されており、そのキートップが外装ケース本体５０の上面に形成された電源ボタン開口部２０Ａ（図５参照）から突出して配置されている。デジタルカメラ１０の電源のＯＮ／ＯＦＦを指示する。
【００３４】
ディスプレイ２２は、カラー液晶で構成されており、その表示部が外装ケース本体１２の背面に形成されたディスプレイ開口部に嵌め込まれて配置されている。このディスプレイ２２は、再生モード時に撮影済み画像の表示画面として使用されるほか、各種設定時に操作画面として利用される。また、撮影時にはＣＣＤで撮像された画像がスルー表示されて、電子ファインダとして使用される。
【００３５】
ズームボタン２４は、テレ方向へのズームを指示するズームテレボタンと、ワイド方向へのズームを指示するズームワイドボタンとで構成されており、それぞれそのキートップが外装ケース本体５０の背面に形成されたズームボタン開口部から突出して配置されている。撮影光学系は、このズームボタン２４が押下されることによりズーミングされる。
【００３６】
再生ボタン２６は、押下ボタンで構成されており、そのキートップが外装ケース本体５０の背面に形成された再生ボタン開口部から突出して配置されている。デジタルカメラ１０は、この再生ボタンが２６が押下されることにより、再生モードに切り替えられる。
【００３７】
なお、本実施の形態のデジタルカメラ１０は、電源ボタン２０で電源を投入すると、撮影モードの状態で起動する。
【００３８】
ファンクションボタン２８は、押下ボタンで構成されており、そのキートップが外装ケース本体５０の背面に形成されたファンクションボタン開口部から突出して配置されている。このファンクションボタン２８には、デジタルカメラ１０の状態に応じた機能が割り当てられる。たとえば、撮影モード時には、各種撮影機能の設定を行うための設定画面の呼び出しの機能が割り当てられ、再生モード時には、各種再生機能の設定を行うための設定画面の呼び出しの機能が割り当てられる。
【００３９】
十字ボタン３０は、上下左右の４方向へ押下が可能なリング状の押下ボタンで構成されており、そのキートップが外装ケース本体５０の背面に形成された十字ボタン開口部から突出して配置されている。この十字ボタン３０は、ディスプレイ２２を利用した各種設定時に操作画面上に表示されるカーソルの移動指示に用いられる他、各方向にデジタルカメラ１０の状態に応じた機能が割り当てられる。たとえば、撮影モード時には、右方向のキーにストロボモードの切り替え指示の機能が割り当てられ、左方向のキーにマクロモードの切り替え指示の機能が割り当てられる。また、再生モード時には、右方向のキーにコマ送りの指示の機能が割り当てられ、左方向のキーにコマ戻しの指示の機能が割り当てられる。
【００４０】
ＭＥＮＵ／ＯＫボタン３２は、押下ボタンで構成されており、そのキートップが十字ボタン３０の内周部から突出して配置されている。このＭＥＮＵ／ＯＫボタン３２は、各種設定を行うためのＭＥＮＵ画面（操作画面）の呼び出しに用いられるほか、各種設定時等に選択内容の確定の指示や、各種処理の実行の指示に用いられる。
【００４１】
キャンセルボタン３４は、押下ボタンで構成されており、そのキートップが外装ケース本体５０の裏面に形成されたキャンセルボタン開口部から突出して配置されている。このキャンセルボタン３４は、処理のキャンセルの指示に用いられる。
【００４２】
表示ボタン３６は、押下ボタンで構成されており、そのキートップが外装ケース本体５０の裏面に形成された表示ボタン開口部から突出して配置されている。この表示ボタン３６は、ディスプレイ２２の表示モード（撮影情報や電池残量等の表示のＯＮ／ＯＦＦ、グリッド線の表示のＯＮ／ＯＦＦ等）の切り替えの指示に用いられる。
【００４３】
図６、図７は、それぞれレンズユニット６０の構成を示す正面図と側面断面図である。
【００４４】
上記のように、本実施の形態の撮影光学系は、そのレンズ鏡筒にＣＣＤ等が一体的に組み付けられたレンズユニット６０として構成されている。
【００４５】
レンズ鏡筒６２は、図６、図７に示すように、矩形の箱状に形成された本体部６４と、その本体部６４の上面中央部に突出して形成されたプリズム収容部６６と、プリズム収容部６６の前面に形成された前玉レンズ保持部６８とで構成されている。
【００４６】
撮影光学系は、その前玉レンズ（第１レンズ群）１４が前玉レンズ保持部６８に保持されるとともに、そのプリズム７０がプリズム収容部６６に収容保持される。そして、第２レンズ群７２、第３レンズ群７４、絞り７６、第４レンズ群７８、及び、その駆動機構（図示せず）が本体部６４に収容配置される。そして、ＣＣＤ８０は、本体部６４の下面（基端部）に取り付けられる。
【００４７】
本体部６４は、矩形の箱状に形成されており、その前面が開口して形成されている。上記のように、第２レンズ群７２、第３レンズ群７４、絞り７６、第４レンズ群７８、及び、その駆動機構（図示せず）は、この本体部６４に収容される。また、ＣＣＤ８０は、この本体部６４の下面部に取り付けられる。
【００４８】
本体部６４の前面の左右両縁部には、それぞれレンズユニットの挿入時に挿入のガイドとなるガイド溝８２が二本（上端部近傍と下端部近傍に一本ずつ）形成されている。このガイド溝８２は、外装ケース本体５０の内面に形成されたガイドレール８４に対応して形成されている。すなわち、図５に示すように、外装ケース本体５０の前面の内側には、横方向（＝外装ケース本体５０の押出方向）に沿って一対のガイドレール８４が形成されており、ガイド溝８２は、この一対のガイドレール８４に嵌合可能に形成されている。レンズユニット６０は、外装ケース本体５０への挿入時、この一対のガイド溝８２を外装ケース本体５０の内面に形成されたガイドレール８４に嵌合させて挿入する。これにより、外装ケース本体５０に対してレンズユニット６０をスムーズに挿入することができる。
【００４９】
なお、このガイドレール８４は、外装ケース本体５０の押出加工時に外装ケース本体５０と一体的に加工形成される。
【００５０】
また、本体部６４の下面には、ＣＣＤ開口部８６が形成されている。ＣＣＤ８０は、その基板部８０Ａが、図示しないＣＣＤホルダに保持されて、本体部６４の下面の所定位置にビス等でネジ止めされて取り付けられる。そして、この本体部６４の下面に基板部８０Ａが取り付けられることにより、ＣＣＤ８０がＣＣＤ開口部８６の内側に収容配置され、その受光面が本体部６４内に露出する。
【００５１】
このように取り付けられたＣＣＤ８０は、その中心が第２レンズ群７２、第３レンズ群７４及び第４レンズ群７８の光軸Ｌ２上に位置する。
【００５２】
なお、ＣＣＤ８０は、外装ケース本体５０の下面と平行に取り付けられ、光軸Ｌ２は、外装ケース本体５０の下面に対して垂直に配置される。したがって、本体部６４は、その下面が水平に形成されるとともに、その前面及び後面が、下面に対して垂直に形成される。この結果、撮影光軸中最も長い光軸（主光軸）Ｌ２は、厚さ方向に直交して配置される。
【００５３】
プリズム収容部６６は、プリズム７０の形状に対応して、背面側が傾斜した断面直角三角形状の箱状に形成されており、本体部６４の上面中央部から突出して形成されている。プリズム７０は、このプリズム収容部６６に収容される。
【００５４】
前玉レンズ保持部６８は、プリズム収容部６６の前面に配置されており、本体部６４の同一面状に配置されている。前玉レンズ１４は、この前玉レンズ保持部６８の内周部に保持される。
【００５５】
なお、このように、前玉レンズ保持部６８は、本体部６４の同一面状に配置されることから、レンズ鏡筒６２の前面は全体的に平坦に形成される。
【００５６】
前玉レンズ保持部６８に取り付けられた前玉レンズ１４は、その光軸Ｌ１を外装ケース本体５０の前方に向けた状態で外装ケース本体５０の前面に形成されたレンズ窓１４の内側に位置する。すなわち、レンズ窓１４に臨んで配置され、その光軸Ｌ１は外装ケース本体５０の前面に対して垂直に配置される。
【００５７】
一方、プリズム収容部６６に収容されたプリズム７０は、この前玉レンズ保持部６８に保持された前玉レンズ１４の後方に配置される。
【００５８】
レンズ窓１４から入射した光は、前玉レンズ１４を通ってプリズム７０に入射し、このプリズム７０によって、その進行方向が真下に向けて９０度屈曲される。
【００５９】
本体部６４に収容される第２レンズ群７２、第３レンズ群７４、絞り７６、第４レンズ群７８、及び、ＣＣＤ８０は、このプリズム７０によって屈曲された光軸（主光軸）Ｌ２上に第２レンズ群７２、第３レンズ群７４、絞り７６、第４レンズ群７８、ＣＣＤ８０の順で配置される。
【００６０】
この本体部６４に収容される第２レンズ群７２、第３レンズ群７４、絞り７６、第４レンズ群７８うち第２レンズ群７２と第３レンズ群７４は、ズームレンズ群を構成する。このズームレンズ群を構成する第２レンズ群７２と第３レンズ群７４のうち第２レンズ群７２は、光軸Ｌ２上を移動可能に設けられており、この第２レンズ群７２が光軸Ｌ２上を移動することにより、撮影光学系の焦点距離を可変させる。本体部６４内には、この第２レンズ群７２を光軸Ｌ２に沿って移動させるための図示しないズーム駆動機構が設けられている。
【００６１】
一方、第４レンズ群７８は、フォーカスレンズ群を構成する。この第４レンズ群７８は、第２レンズ群７２とは独立して、光軸Ｌ２上を移動可能に設けられており、光軸Ｌ２上を移動することにより、撮影光学系の焦点位置を可変させる。本体部６４内には、この第４レンズ群７８を光軸Ｌ２に沿って移動させるための図示しないフォーカス駆動機構が設けられている。
【００６２】
絞り７６は、本体部６４に形成された図示しない絞り保持部に保持されて、第３レンズ群７４と第４レンズ群７８の間に設置されている。この絞り７６は、たとえば、アイリス絞りで構成され、光軸Ｌ２上でその開口径を可変させることにより、ＣＣＤ８０への入射光量を変化させる。本体部６４内には、この絞り７６を駆動するための図示しない絞り駆動機構が設けられている。
【００６３】
上記のように、ＣＣＤ８０は、その基板部８０Ａが本体部６４の下面に図示しないＣＣＤホルダを介して取り付けられることにより、本体部６４の下面に形成されたＣＣＤ開口部８６内に収容配置され、その受光面がレンズ鏡筒６２内に露出する。このＣＣＤ８０の受光面は、光軸Ｌ２に対して垂直に配置される。撮影光学系は、このＣＣＤ８０の受光面上に被写体の光学像を結像させる。そして、この受光面上に結像された被写体像をＣＣＤ８０で撮像する。
【００６４】
撮影光学系のレンズ鏡筒にＣＣＤ等が一体的に組み付けられたレンズユニット６０は以上のように構成される。
【００６５】
ところで、上記のように、レンズユニット６０は、そのレンズ鏡筒６２の本体部６４の前面が開口して形成されている。このため、そのまま外装ケース本体５０内に収容すると、不要な光がレンズ鏡筒６２内に入り込み、ＣＣＤ８０の受光面上に結像される被写体像に悪影響を及ぼすおそれがある。
【００６６】
そこで、本実施の形態のデジタルカメラ１０では、レンズユニット６０を次のようにして、外装ケース本体５０に組み付ける。すなわち、開口して形成されたレンズ鏡筒６２の前面を外装ケース本体５０の内面に密着させて、レンズユニット６０を外装ケース本体５０内に組み付け、開口して形成されたレンズ鏡筒６２の前面を外装ケース本体５０の内面で覆う。
【００６７】
これにより、レンズ鏡筒６２の本体部６４内が遮光され、良好な被写体像をＣＣＤ８０で撮像することができる。
【００６８】
なお、本実施の形態のデジタルカメラ１０におけるレンズユニット６０の外装ケース本体５０への組み付け方法は、次のとおりである。
【００６９】
まず、レンズユニット６０の組み立てを行い、その基本動作の検査を行う。すなわち、組み上げられたレンズユニット６０の各部が正しく動作するか否かをチェックする。これにより、不良品が組み立てられるのを未然に防止することができる。
【００７０】
次に、レンズユニット６０を外装ケース本体５０に組み付ける。すなわち、外装ケース本体５０の一方の開口部５０Ｒからレンズユニット６０を外装ケース本体内に挿入し、所定位置に固定する。
【００７１】
この際、レンズユニット６０は、そのレンズ鏡筒６２の前面に形成されたガイド溝８２を外装ケース本体５０の内面に形成されたガイドレール８４に嵌合させて、外装ケース本体内にスライド挿入する。
【００７２】
ここで、このガイド溝８２をガイドレール８４に嵌合させると、レンズユニット６０は、そのレンズ鏡筒６２の前面が、外装ケース本体５０の前面の内壁面に密着する。これにより、開口して形成されたレンズ鏡筒６２の本体部６４の前面が外装ケース本体５０の前面の内壁面に覆われる。レンズユニット６２は、この状態で外装ケース本体５０内に挿入される。
【００７３】
外装ケース本体５０内に挿入されたレンズユニット６０は、所定の取付位置、すなわち、その前玉レンズ保持部６８に保持された前玉レンズ１４がレンズ窓１４Ａの同軸上に位置する位置で外装ケース本体５０に固定される。
【００７４】
なお、本例ではレンズユニット６０をビスでネジ止めして外装ケース本体５０に固定する。図示されていないが、外装ケース本体５０の底面には、このレンズユニット６０をビスでネジ止めするための穴が所定位置に形成されており、レンズユニット６０には、この穴に通されたビスが螺合するネジ穴が形成されている。
【００７５】
レンズユニット６０は、外装ケース本体５０の底面に形成された穴にビスを通し、レンズユニット６０に形成されたネジ穴に螺合させることにより、外装ケース本体５０に固定される。そして、このビスでネジ止めされることにより、レンズユニット６０は、その前玉レンズ保持部６８に保持された前玉レンズ１４がレンズ窓１４Ａの同軸上に配置される。
【００７６】
以上により、レンズユニット６０の組み付けが完了する。このように組み付けられたレンズユニット６０は、そのレンズ鏡筒６２の前面が外装ケース本体５０の前面の内壁面に密着した状態で外装ケース本体５０内に組み付けられる。これにより、開口して形成されたレンズ鏡筒６２の本体部６４の前面が、外装ケース本体５０の前面の内壁面に覆われて、本体部６４の内部が遮光される。
【００７７】
そして、このように開口して形成されたレンズ鏡筒６２の本体部６４を外装ケース本体５０の内面で覆う構成とすることにより、レンズユニット６２の厚さを薄型化することができ（前面を覆う必要がないので、その分薄くすることができる）、この結果、デジタルカメラ全体の厚さを薄型化することができる。
【００７８】
レンズユニット６０が組み付けられた外装ケース本体５０は、この後、メイン基板やディスプレイユニット、フラッシュユニット、電源ユニット等、各種内部構成部品が組み付けられた後、左右両端の開口部５０Ｒ、５０Ｌにサイドカバー５２Ｒ、５２Ｌが取り付けられて、組み立てが完了する。
【００７９】
なお、本実施の形態のデジタルカメラ１０では、外装ケース本体５０へのレンズユニット６０の挿入時にガイドレール８４を利用して挿入するようにしているが、ガイドレール８４は、必ずしも必要な構成ではない。ただし、ガイドレール８４を設け、このガイドレール８４に沿ってレンズユニット６０を挿入する構成とすることにより、レンズユニット６０を正確な取付位置に簡単に取り付けることができる。また、このガイドレール８４は、外装ケース本体５０の押出加工時に一体的に形成することができるので、製造コストも低減することができる。
【００８０】
また、本実施の形態のデジタルカメラ１０では、あらかじめ前玉レンズ１４を前玉レンズ保持部６８に組み付けた状態でレンズユニット６０を外装ケース本体５０に組み付けているが、前玉レンズ１４は、レンズユニット６０を外装ケース本体５０に組み付けた後、レンズ開口部１４Ａから前玉レンズ保持部６８に取り付けるようにしてもよい。この場合、前玉レンズ１４を前玉レンズ保持部６８に取り付ける際、撮影光学系の光学調整を行いながら、前玉レンズ１４を前玉レンズ保持部６８に取り付けることが好ましい。これにより、レンズユニット６０の組み付け時に取付ストレスがかかって、光学特性が変化したような場合であっても、前玉レンズ１４の取り付け時にこれを修正することができるようになり、生産効率を向上させることができる。また、これによりレンズユニット６０の組み付けも容易に行うことができるようになる。
【００８１】
なお、この場合における光学調整の方法については、種々の方法を用いることができる。たとえば、前玉レンズ保持部６８の内周面に複数の段部を形成し、この段部に前玉レンズ１４のレンズ保持枠を当てる位置を変えることにより、光軸の位置、傾きを調整する方法や、光軸の位置、傾きを調整可能な調整部材を介して前玉レンズ１４を前玉レンズ保持部６８に取り付ける方法など、種々の公知の調整方法を用いることができる。
【００８２】
また、上記実施の形態では、レンズユニット６０の組み付けに際して、レンズ鏡筒６２の前面を外装ケース本体５０の内面に密着させる構成としているが、レンズ鏡筒６２に取り付けられたＣＣＤ８０も外装ケース５０の内面に接触させて取り付けられるように構成することが好ましい。たとえば、図４に示すように、レンズ鏡筒６２の下面に取り付けられたＣＣＤ８０の基板部８０Ａが、外装ケース本体５０の底面に接触して取り付けられるようにする。これにより、ＣＣＤ８０の熱を金属で形成された外装ケース本体５０に逃がすことができ、ＣＣＤ８０の発熱による画質の劣化を防止することができる。
【００８３】
また、上記実施の形態では、レンズ鏡筒６２の前面を外装ケース本体５０の前面で覆うだけの構成にしているが、図８に示すように、外装ケース本体５０の内側、特にレンズ鏡筒６２の設置部（レンズ鏡筒６２の前面を覆う部分）に遮光機能を有するシート等の遮光部材（たとえば、モルトプレーンなど）９０を取り付けるようにしてもよい（前面の内側全体に取り付けてもよい）。これにより、遮光性をさらに向上させることができる。
【００８４】
この他、図９に示すように、外装ケース本体５０の内壁面に黒アルマイト処理等の遮光処理を施すことにより、遮光性を向上させるようにしてもよい。この場合も外装ケース本体５０の内周部前面に遮光処理を施してもよいし、また、レンズ鏡筒６２の設置部のみに選択的に遮光処理を施すようにしてもよい。
【００８５】
また、本実施の形態では、レンズユニット６０の裏側にディスプレイ２２が配置される関係上、レンズ鏡筒６２の前面のみを開口して形成しているが、図１０（ａ）に示すように、レンズ鏡筒６２の前後の面を開口して形成するようにしてもよい。この場合、同図（ｂ）に示すように、開口して形成されたレンズ鏡筒６２の本体部６４の前後の面を外装ケース本体５０の前後の内壁面で覆う構成とする。すなわち、本体部６４の前面を外装ケース本体５０の前面の内壁面で覆うとともに、後面を外装ケース本体５０の後面の内壁面で覆う構成とする。これにより、更なる薄型化を図ることができる。
【００８６】
また、本実施の形態では、レンズ鏡筒６２の前面を平坦に形成しているが、図１１（ａ）に示すように、前玉レンズ保持部６８を本体部６４の前面から所定量突出させて形成するようにしてもよい。この場合、同図（ｂ）に示すように、外装ケース本体５０の前面の内壁面には、前玉レンズ保持部６８の設置位置に凹部９２を形成し、この凹部９２内に突出して形成された前玉レンズ保持部６８が収容されるように構成する。これにより、開口して形成されたレンズ鏡筒６２の本体部６４の前面を外装ケース本体５０の内面に密着させて、レンズユニット６０を組み付けることができる。
【００８７】
なお、凹部９２は、外装ケース本体５０の押出方向に沿って溝状に形成することにより、外装ケース本体５０の押出加工時に一体的に形成することができる。
【００８８】
また、上記実施の形態では、左右両端が開口して形成された外装ケース本体、すなわち、横方向に押出加工して形成された外装ケース本体に本発明を適用した場合を例に説明したが、図１２に示すように、縦方向に押出加工して形成された外装ケース本体（上下両端が開口して形成された外装ケース本体）についても同様に本発明を適用することができる。
【００８９】
この場合、同図に示すように、レンズユニット６０は、外装ケース本体５０の上面（又は下面）に形成された開口部から外装本体５０内にスライド挿入される。
【００９０】
また、この場合、レンズユニット６０に形成されるガイド溝８２、及び、外装ケース本体５０に形成されるガイドレール８４は、上下方向（＝押出方向＝挿入方向）に沿って形成される。
【００９１】
なお、このように外装ケース本体５０を縦方向に押出加工して形成すると、移動するレンズ群（第２レンズ群７２、第４レンズ群７８）の光軸Ｌ２の方向と、押出加工の方向とが一致する。この場合、移動するレンズ群をガイドするガイド部材を外装ケース本体５０に一体的に形成することが好ましい。すなわち、通常、移動するレンズ群には、その光軸方向に沿った移動をガイドするためのガイド部材が必要になるので、このガイド部材を外装ケース本体５０に一体的に形成する。
【００９２】
たとえば、図１３に示すように、移動するレンズ群１００（第２レンズ群７２、第４レンズ群７８）のレンズ枠１０２に設けられた被ガイド部１０２Ａに係合して、移動するレンズ群１００をガイドするガイド部材１０４を外装ケース本体５０に一体的に形成する。この例において、ガイド部材１０４は、断面Ｌ字状に形成され、外装ケース本体５０の前面の内壁面から垂直に延び、その屈曲した先端部が、レンズ枠１０２に形成された被ガイド部１０２Ａの凹部１０２ａに嵌合して、レンズ群１００を光軸に沿ってガイドするように構成されている。
【００９３】
なお、同図において、符号１１０は、移動するレンズ群を光軸に沿って移動させるためのネジ棒であり、符号１０２Ｂは、レンズ枠１０２に設けられた雌ネジ部である。移動するレンズ群１００は、ネジ棒１１０に連結されたモータ（図示せず）を駆動することにより、ガイド部材１０４にガイドされて、光軸方向に移動する。なお、移動するレンズ群を駆動する構成は、これに限定されるものではなく、他の構成を採ることもできる。
【００９４】
また、このガイド部材１０４は、外装ケース本体５０の押出加工時に外装ケース本体５０と一体的に形成される。これにより、部品点数を削減することができる。
【００９５】
また、このように外装ケース本体５０にガイド部材１０４を一体成形する場合、レンズ鏡筒６２は、外装ケース本体５０への挿入時にガイド部材１０４を回避できるように、本体部６４の上面と下面に必要な開口部を形成する。
【００９６】
なお、上記の例では、移動するレンズ群の光軸が縦方向に配置された場合を例に説明したが、移動するレンズ群の光軸が横方向に配置される場合には、横押出によって加工形成された外装ケース本体にも同様にレンズ群のガイド部材を一体形成することができる。すなわち、移動するレンズ群の光軸の方向と外装ケース本体の押出加工の方向が一致していれば、外装ケース本体に移動するレンズ群のガイド部材を一体成形することができる。
【００９７】
また、上記実施の形態では、撮影光学系が屈曲光学系で構成されたレンズユニットに本発明を適用した場合を例に説明したが、図１４に示すように、屈曲光学系ではない通常の撮影光学系（光軸が屈曲しない光学系）で構成されたレンズユニットについても同様に本発明を適用することができる。
【００９８】
なお、同図は、いわゆるスイバル式のカメラボディに屈曲光学系ではない通常の撮影光学系で構成されたレンズユニットを組み込む場合について示している。
【００９９】
この場合、外装ケース本体５１は、ディスプレイや操作部が設けられる本体部５１Ａと、レンズユニットが取り付けられるレンズ部５１Ｂとで構成され、ジョイント部５１Ｃを介して一体的に連結される。ジョイント部５１Ｃは、その中心に設けられた回転軸を中心にレンズ部５１Ｂを本体部５１Ａに対して回転可能に連結する。
【０１００】
レンズユニット６１は、そのレンズ鏡筒６３の上端部に前玉レンズ取付部６９が形成され、外装ケース本体５１のレンズ部５１Ｂの側面に形成された開口部からレンズ部５１Ｂ内にスライド挿入される。
【０１０１】
また、上記実施の形態では、本発明をデジタルカメラに適用した場合を例に説明したが、本発明の適用は、これに限定されるものではなく、他にカメラ付き携帯電話機等のデジタルカメラ機能が備えられた電子機器にも同様に適用することができる。
【図面の簡単な説明】
【０１０２】
【図１】デジタルカメラの外観構成を示す正面斜視図
【図２】デジタルカメラの外観構成を示す背面斜視図
【図３】デジタルカメラの外観構成を示す正面図
【図４】デジタルカメラの外観構成を示す側面断面図（図３の４−４断面図）
【図５】デジタルカメラの組み立て展開図
【図６】レンズユニットの正面図
【図７】レンズユニットの側面断面図
【図８】外装ケース本体の他の実施の形態の構成を示す断面斜視図
【図９】外装ケース本体の他の実施の形態の構成を示す断面斜視図
【図１０】レンズユニットとデジタルカメラの他の実施の形態の構成を示す側面断面図
【図１１】レンズユニットとデジタルカメラの他の実施の形態の構成を示す側面断面図
【図１２】他の実施の形態のデジタルカメラの組み立て展開図
【図１３】レンズユニットと外装ケース本体の他の実施の形態の構成を示す平面断面図
【図１４】他の実施の形態のデジタルカメラの組み立て展開図
【符号の説明】
【０１０３】
１０…デジタルカメラ、１２…外装ケース、１４…前玉レンズ（第１レンズ群）、１４Ａ…レンズ窓（レンズ開口部）、５０…外装ケース本体、５０Ｒ、５０Ｌ…開口部、５２Ｒ…右サイドカバー、５２Ｌ…左サイドカバー５２Ｌ、６０…レンズユニット、６２…レンズ鏡筒、６４…本体部、６６…プリズム収容部、６８…前玉レンズ保持部、７０…プリズム、７２…第２レンズ群、７４…第３レンズ群、７６…絞り、７８…第４レンズ群、８０…ＣＣＤ、８２…ガイド溝、８４…ガイドレール、８６…ＣＣＤ開口部、９０…遮光部材
【図１】
2009180791.tif 000003
【図２】
2009180791.tif 000004
【図３】
2009180791.tif 000005
【図４】
2009180791.tif 000006
【図５】
2009180791.tif 000007
【図６】
2009180791.tif 000008
【図７】
2009180791.tif 000009
【図８】
2009180791.tif 000010
【図９】
2009180791.tif 000011
【図１０】
2009180791.tif 000012
【図１１】
2009180791.tif 000013
【図１２】
2009180791.tif 000014
【図１３】
2009180791.tif 000015
【図１４】
2009180791.tif 000016